(57)【要約】【課題】鉄筋コンクリート構造物が解体しにくい最大の理由が鉄筋コンリートが粘りのある鉄筋と堅いコンクリートとの組み合わせた複合部材であること、さらに、鉄筋は一般的には表面近くに配筋されていることに着目し、鉄筋コンクリート構造物のリニューアル工事など、小規模で、建物に居住者などが残留しているような工事において、低騒音で、しかも簡単な小規模な設備で簡単に鉄筋を剥離し、コンクリート構造物を解体できる鉄筋コンクリート構造部材の鉄筋剥離方法を得る。【解決手段】引張冶具３をローラー支持、または先端が回転可能な車輪等を有する脚部で支持し、鉄筋コンクリート中に埋設された鉄筋２の一部を露出させて前記引張冶具３に固定し、この引張冶具３で鉄筋２を配筋方向と鉛直の方向に引っ張りながら、これに追随させて引張冶具３を配筋方向にローラー６等で移動させ、コンクリート中から鉄筋２を連続的に剥離する。【選択図】        図１
2007132052.tif 000002
【特許請求の範囲】
【請求項１】
引張冶具をローラー等の転動手段で支持し、鉄筋コンクリート中に埋設された鉄筋の一部を露出させて前記引張冶具に固定し、この引張冶具で鉄筋を配筋方向と鉛直の方向に引っ張りながら、これに追随させて引張冶具を配筋方向にローラー等の転動手段で移動させ、コンクリート中から鉄筋を連続的に剥離することを特徴とする鉄筋コンクリート構造部材の鉄筋剥離方法。
【請求項２】
引張冶具は油圧ジャッキで構成する請求項１記載の鉄筋コンクリート構造部材の鉄筋剥離方法。
【発明の詳細な説明】
【技術分野】
【０００１】
本発明は、鉄筋コンクリート構造部材の鉄筋剥離方法に関するものである。
【背景技術】
【０００２】
鉄筋コンクリート構造物のリニューアル工事などでは、例えば、壁の部分などの鉄筋コンクリート構造部分を解体することがあるが、かかる鉄筋コンクリート構造物の部分的な解体方法として、従来、ブレーカー工法、ダイヤモンドカッター工法、ダイヤモンドワイヤーソー工法などがある。
【０００３】
一般に多く採用されている例えばブレーカー工法は、コンクリートをブレーカーで破砕して鉄筋を露出させた後、鉄筋を切断するもので、大きな騒音・振動や粉塵などが発生する。
【０００４】
このため、居住者の一部が残留している建物などでは、ブレーカー工法などによる建物のリニューアル工事は作業時間帯などで制約を受けることになる。また、工事場所が例えば病院などの場合は、昼夜を問わず騒音を避ける必要があるが、前記ブレーカー工法などではこれに対処しきれない。
【０００５】
そこで、比較的騒音の小さい工法も開発され、例えば、鉄筋に通電・加熱してコンクリートを脆弱化し、鉄筋を剥離する方法もある（例えば特許文献１参照）。
【特許文献１】特開昭６３−１４９６３号公報
【発明の開示】
【発明が解決しようとする課題】
【０００６】
前記特開昭６３−１４９６３号公報に記載の方法は、コンクリートを脆弱化することで軽微な引張力で鉄筋を剥離でき、低騒音化を図ることができるが、鉄筋加熱のため多数の鉄筋露出個所を設ける必要があり、機械装置が大型化し、準備に多大な労力と時間および費用を要する。このため、小規模なリニューアル工事には低騒音であっても前記のような大型の工事機械の採用は非常に困難である。
【０００７】
本発明の目的は前記従来例の不都合を解消し、鉄筋コンクリート構造物が解体しにくい最大の理由が鉄筋コンリートが粘りのある鉄筋と堅いコンクリートとの組み合わせた複合部材であること、さらに、鉄筋は一般的には表面近くに配筋されていることに着目し、鉄筋コンクリート構造物のリニューアル工事など、小規模で、建物に居住者などが残留しているような工事において、低騒音で、しかも簡単な小規模な設備で簡単に鉄筋を剥離し、コンクリート構造物を解体できる鉄筋コンクリート構造部材の鉄筋剥離方法を提供することにある。
【課題を解決するための手段】
【０００８】
本発明は前記目的を達成するため、請求項１記載の発明は、引張冶具をローラー等の転動手段で支持し、鉄筋コンクリート中に埋設された鉄筋の一部を露出させて前記引張冶具に固定し、この引張冶具で鉄筋を配筋方向と鉛直の方向に引っ張りながら、これに追随させて引張冶具を配筋方向にローラー等の転動手段で移動させ、コンクリート中から鉄筋を連続的に剥離することを要旨とするものである。
【０００９】
請求項１記載の本発明によれば、露出させた部分の鉄筋を引張冶具に固定して、鉄筋を配筋方向と鉛直の方向に引っ張れば、この引張力によってローラー等の転動手段を介して引張冶具が配筋方向に移動する。これにより、鉄筋はその上の被りコンクリートを剥離破壊しながらコンクリート中から剥離される。
【００１０】
請求項２記載の発明は、引張冶具は油圧ジャッキで構成することを要旨とするものである。
【００１１】
請求項２記載の本発明によれば、ローラー等の転動手段で移動自在に支持した油圧ジャッキをセットし、油圧ジャッキのロッドの先端に鉄筋の一部を固定し、ロッドを引上げるだけの簡単な設備と操作で、鉄筋をコンクリート中から簡単に剥離できる。
【発明の効果】
【００１２】
以上述べたように本発明の鉄筋コンクリート構造部材の鉄筋剥離方法は、鉄筋コンクリート構造物が解体しにくい最大の理由が鉄筋コンリートが粘りのある鉄筋と堅いコンクリートとの組み合わせた複合部材であること、さらに、鉄筋は一般的には表面近くに配筋されていることに着目し、鉄筋コンクリート構造物のリニューアル工事など、小規模で、建物に居住者などが残留しているような工事において、鉄筋コンクリート構造ものからまず主な鉄筋を剥がし取れれば無筋化したコンクリートはどのような方法であっても容易に解体できるから、鉄筋の剥離方法として低騒音で、しかも簡単な小規模な設備で簡単に鉄筋を剥離できるものであり、強いてはコンクリート構造物を容易に解体できるものである。
【発明を実施するための最良の形態】
【００１３】
以下、図面について本発明の実施形態を詳細に説明する。図１は本発明のコンクリート構造部材の鉄筋剥離方法の実施形態を示す第１工程の説明図、図２は同上第２工程の説明図、図３は同上第３工程の説明図で、本発明方法は、鉄筋コンクリート構造の建物などの鉄筋コンクリート壁など、鉄筋コンクリート構造部材１を部分的に解体する場合に実施される。
【００１４】
本発明では、鉄筋コンクリート構造部材１を解体する方法として、鉄筋コンクリート構造物の鉄筋２は構造物の表面近くに配置されていることに着目し、鉄筋コンクリート構造部材１から鉄筋２のみを剥離するものである。
【００１５】
そのための方法として、まず、表面近くのコンクリート（被りコンクリート）１ａのみを除去して、鉄筋２の一部（端部）を露出させる。
【００１６】
一方、鉄筋２の引張冶具３として、油圧ジャッキなどを利用し、ロッドを鉄筋２に溶接可能なものとして鋼棒４などで構成する。鉄筋の引張には約１０ｔｆ程度の荷重が必要であるが、１０ｔｆ程度の油圧ジッャキは非常に軽微で、これを支持する手段もネジ棒の足程度のもので足り、装置を簡便・軽微なものにできる。
【００１７】
かかる引張冶具３を転動手段である支持フレーム５で支承する。この支持フレーム５は、間にローラー６等の滑活部材を配設した上部支持フレーム５ａと下部支持フレーム５ｂとで構成し、上部支持フレーム５ａおよびローラー６は、下部支持フレーム５ｂに対して、平行にスライド自在に組み合わさる。
【００１８】
そして、引張冶具３は上部支持フレーム５ａの上に載置され、支持フレーム５のスライド方向に対して鉛直の方向に引張冶具３の鋼棒４が移動する。
【００１９】
露出させた鉄筋２を鉄筋コンクリート構造部材１から除去するには、コンクリート構造部材１の上に支持フレーム５を配設し、鉄筋２の配筋方向に対して鉛直の方向に引張冶具３をセットする。
【００２０】
露出させた鉄筋２の端部に引張冶具３の鋼棒４を溶接などで接続し、油圧ジャッキを作動させれば、鉄筋２の配筋方向に対して鉛直方向に引張力が作用する。その結果、鉄筋２がコンクリート構造部材１の面外方向に変形する。
【００２１】
すなわち、鉄筋２がコンクリートから剥がし取られて鉛直方向に引っ張られる。このとき、鉄筋２の面外変形にともない、周囲の被りコンクリート１ａが剥離破壊する。一般に鉄筋コンクリート構造部材１の鉄筋２の被りコンクリート１ａの被り厚さは数センチであることから、非常に小さな荷重で被りコンクリート１ａを剥離破壊させることができる。
【００２２】
前記のような鉄筋２の鉛直方向への抜出し・被りコンクリート１ａの剥離によって、引張冶具３に配筋方向への水平方向の力が作用し、図２に示すように引張冶具３が上部支持フレーム５ａとローラー６とともに配筋方向に自動的に移動する。
【００２３】
よって、鉄筋２を抜出しながら同時に引張冶具３が支持フレーム５を介して水平にスライドするから、図３に示すように中断することなく鉄筋コンクリート構造部材１の中から連続的に鉄筋２を剥離できる。
【００２４】
以上のようにして鉄筋２を剥離したならば、鉄筋２が除去されたコンクリートは油圧よる拡張や圧砕、支圧破壊などの方法によって低騒音で解体できる。
【００２５】
なお、引張冶具を支持する転動手段は前記ローラー６に限定されるものではなく、図示は省略するが、先端に車輪を設けた脚部で構成することも可能であり、脚部の上に引張冶具を載置する。この場合、脚部はコンクリートの剥離範囲の外に位置させる。
【図面の簡単な説明】
【００２６】
【図１】本発明の鉄筋コンクリート構造部材の鉄筋剥離方法の第１工程を示す説明図である。
【図２】本発明の鉄筋コンクリート構造部材の鉄筋剥離方法の第２工程を示す説明図である。
【図３】本発明の鉄筋コンクリート構造部材の鉄筋剥離方法の第３工程を示す説明図である。
【符号の説明】
【００２７】
１  鉄筋コンクリート構造部材    １ａ  被りコンクリート
２  鉄筋                        ３  引張冶具
４  鋼棒                        ５  支持フレーム
５ａ  上部支持フレーム          ５ｂ  下部支持フレーム
６  ローラー
【図１】
2007132052.tif 000003
【図２】
2007132052.tif 000004
【図３】
2007132052.tif 000005